(57)【要約】【課題】  対向接続された回線終端装置に影響を与えずに、診断対象回線終端装置の診断実行を可能とする。【解決手段】  診断対象上位装置１より診断開始要求を受信した診断対象回線終端装置２は、診断開始前に対向回線終端装置３に対して診断開始通知要求を送信する。これにより対向回線終端装置３は、対向回線診断フラグを設定し、回線インターフェイス５の障害監視結果の対向上位装置４への送信を中断する。その後、診断対象回線終端装置２の診断を開始する。診断完了後、診断対象回線終端装置２は、対向回線終端装置３に対して診断完了通知要求を送信する。これにより対向回線終端装置３は、対向回線診断フラグを解除し、回線インターフェイス５の障害監視結果の対向上位装置４への送信を再開する。【選択図】      図２
2006066947.tif 000002
【特許請求の範囲】
【請求項１】
上位装置からの指示に基づき自身の診断を実行する回線終端装置であって、前記回線終端装置は、前記上位装置から診断開始の要求を受信し、診断の実行後に前記上位装置へ診断完了の通知を送信する手段を備えることを特徴とする回線終端装置。
【請求項２】
上位装置からの指示に基づき自身の診断を実行する回線終端装置であって、前記回線終端装置は、自身の診断の開始前に診断開始を示す診断開始通知要求を送信し、前記診断の実行後に診断終了を示す診断完了通知要求を送信する手段を備えることを特徴とする回線終端装置。
【請求項３】
所定の第１の信号を受信した際に、上位装置に対し回線インターフェイス状態監視の中断設定を行い、所定の第２の信号を受信した際に、前記中断設定を解除する手段を備えることを特徴とする回線終端装置。
【請求項４】
回線を介し対向する回線終端装置に接続され、第１の上位装置からの指示に基づき自身の診断を実行する診断対象の回線終端装置であって、前記診断対象の回線終端装置は、自身の診断の開始前に前記対向する回線終端装置に対して診断開始を示す診断開始通知要求を送信し、前記診断の実行後に前記対向する回線終端装置に対して診断終了を示す診断完了通知要求を送信する手段を備えることを特徴とする回線終端装置。
【請求項５】
第１の上位装置からの指示に基づき自身の診断を実行する診断対象の回線終端装置と回線を介し接続される対向する回線終端装置であって、前記対向する回線終端装置は、前記診断の開始前に前記診断対象の回線終端装置から診断開始を示す診断開始通知要求を受信し、前記対向する回線終端装置に接続される第２の上位装置に対し回線インターフェイス状態監視の中断設定を行い、前記診断の実行後に前記診断対象の回線終端装置から診断終了を示す診断完了通知要求を受信し前記中断設定を解除する手段を備えることを特徴とする回線終端装置。
【請求項６】
前記診断対象の回線終端装置は、前記診断の開始前に前記対向する回線終端装置から受信する診断開始通知要求の完了通知および前記診断の実行後に前記対向する回線終端装置から受信する診断完了通知要求の完了通知を他のユーザデータと区別する手段を備えることを特徴とする請求項４記載の回線終端装置。
【請求項７】
前記対向する回線終端装置は、前記診断の開始前に前記診断対象の回線終端装置から受信する前記診断開始通知要求および前記診断の実行後に前記診断対象の回線終端装置から受信する前記診断完了通知要求を他のユーザデータと区別する手段を備えることを特徴とする請求項５記載の回線終端装置。
【請求項８】
前記対向する回線終端装置は、受信データのフラグ状態によって前記診断対象の回線終端装置が診断中か否かを判断する手段を備えることを特徴とする請求項５記載の回線終端装置。
【請求項９】
前記所定の第１の信号は診断開始を示す診断開始通知要求であり、前記所定の第２の信号は診断終了を示す診断完了通知要求であることを特徴とする請求項３記載の回線終端装置。
【請求項１０】
回線を介し対向する回線終端装置に接続され、上位装置からの指示に基づき自身の診断を実行する診断対象の回線終端装置であって、前記診断対象の回線終端装置は、前記上位装置とのインターフェイス機能を有する上位装置インターフェイス部と、前記対向する回線終端装置との通信プロトコルに準拠したデータ送信機能を有する回線データ送信部と、前記対向する回線終端装置との通信プロトコルに準拠したデータ受信機能を有する回線データ受信部と、前記対向する回線終端装置とのインターフェイス機能を有する回線インターフェイス部とを備え、前記上位装置インターフェイス部は、前記上位装置から診断開始の要求を受信し、診断の実行後に前記上位装置へ診断完了の通知を送信することを特徴とする回線終端装置。
【請求項１１】
請求項４記載の回線終端装置と、請求項５記載の回線終端装置とを有することを特徴とする回線終端装置診断方式。
【請求項１２】
回線を介し対向する回線終端装置に接続され、第１の上位装置からの指示に基づき自身の診断を実行する診断対象の回線終端装置であって、前記診断対象の回線終端装置は、前記第１の上位装置とのインターフェイス機能を有する上位装置インターフェイス部と、前記対向する回線終端装置との通信プロトコルに準拠したデータ送信機能を有する回線データ送信部と、前記対向する回線終端装置との通信プロトコルに準拠したデータ受信機能を有する回線データ受信部と、前記対向する回線終端装置とのインターフェイス機能を有する回線インターフェイス部と、前記回線インターフェイス部の受信状態の監視機能および前記第１の上位装置への監視結果の送信機能を有する回線状態管理部と、診断開始／完了通知要求とユーザデータとの識別機能を有する診断通知要求識別部とを備え、前記回線データ送信部は、前記第１の上位装置からの指示に基づき回線インターフェイス部を介し前記対向する回線終端装置に対し前記診断の開始前に診断開始通知要求を送信し、前記診断の実行後に同様経路で診断完了通知要求を送信することを特徴とする回線終端装置。
【請求項１３】
第１の上位装置からの指示に基づき自身の診断を実行する診断対象の回線終端装置と回線を介し接続される対向する回線終端装置であって、前記対向する回線終端装置は、第２の上位装置とのインターフェイス機能を有する上位装置インターフェイス部と、前記診断対象の回線終端装置との通信プロトコルに準拠したデータ送信機能を有する回線データ送信部と、前記診断対象の回線終端装置との通信プロトコルに準拠したデータ受信機能を有する回線データ受信部と、前記診断対象の回線終端装置とのインターフェイス機能を有する回線インターフェイス部と、診断開始／完了通知要求とユーザデータとの識別機能を有する診断通知要求識別部と、接続された回線終端装置が診断中であるか否かを示す情報を格納する対向回線診断フラグ格納部とを備え、前記回線データ受信部は、前記診断対象の回線終端装置から回線インターフェイス部を介し前記診断対象の回線終端装置から診断開始前に診断開始通知要求を受信し、診断実行後に同様経路で診断完了通知要求を受信することを特徴とする回線終端装置。
【請求項１４】
請求項１２記載の回線終端装置と、請求項１３記載の回線終端装置とを有することを特徴とする回線終端装置診断方式。
ことを特徴とする回線終端装置診断方式。
【請求項１５】
第１の上位装置に接続され診断が行われる診断対象回線終端装置と、第２の上位装置に接続され前記診断対象回線終端装置に対向接続される対向回線終端装置とを設け、前記第１の上位装置からの指示に基づき前記診断対象回線終端装置の診断を行う回線終端装置診断方法であって、前記第１の上位装置から診断の開始要求を前記診断対象回線終端装置によって受信するステップと、この開始要求を受信し診断の開始前に前記診断対象回線終端装置から前記対向回線終端装置に対して診断開始通知要求を送信するステップと、前記対向回線終端装置では、診断フラグを設定するステップと、この診断フラグに基づき前記診断対象回線終端装置と前記対向回線終端装置との間のインターフェイスの障害監視結果の前記第２の上位装置への送信を中断するステップと、この送信の中断により前記診断対象回線終端装置での診断を実行するステップと、前記診断の完了後に前記診断対象回線終端装置から前記対向回線終端装置に対して診断完了通知要求を送信するステップと、前記対向回線終端装置では、前記診断完了通知要求を受信し前記フラグを解除するステップと、前記フラグの解除により前記第２の上位装置への前記障害監視結果の送信を再開するステップとを有することを特徴とする回線終端装置診断方法。
【発明の詳細な説明】
【技術分野】
【０００１】
本発明は、回線終端装置（ＤＣＥ：Ｄａｔａ  Ｃｉｒｃｕｉｔ−ｔｅｒｍｉｎａｔｉｎｇ  Ｅｑｕｉｐｍｅｎｔ）およびその回線終端装置診断方式ならびに診断方法に関し、特に対向する回線終端装置との回線インターフェイスを有する回線終端装置の診断を可能とする回線終端装置および回線終端装置診断方式および診断方法に関する。
【背景技術】
【０００２】
従来、回線終端装置の診断方式として、例えば、特許文献１に、ホスト計算機からローカル側ＤＣＥの自己診断テストを指定するコマンドを入力する技術が開示されている。また本発明に関連する技術として、特許文献２には、時分割多重化装置にて、データ通信を行う対局装置に対して接続試験の開始を通知する技術が記載されている。しかしながら、対向する回線終端装置との回線インターフェイスを有する回線終端装置の診断を可能とする技術は開示されていない。
【０００３】
【特許文献１】特開昭６３−８６９４３号公報（第２頁、第１図）
【特許文献２】特開平９−２５２２８９号公報（第２頁、図１）
【発明の開示】
【発明が解決しようとする課題】
【０００４】
伝送の分野では、対向する回線終端装置との回線インターフェイスを有する回線終端装置は、多く利用されている。この状況で、この種の回線終端装置の診断を可能にする技術が求められている。上述した公報では、単にホスト計算機からローカルＤＣＥへの診断テストの指定を行っている。あるいは、データ通信を行う対局装置に対して接続試験の開始通知を行っているに過ぎない。いずれの公報に開示された技術では、上述した課題を解決することはできない。
【０００５】
本発明の第１の目的は、対向する回線終端装置との回線インターフェイスを有する回線終端装置の診断を可能にする回線終端装置を提供することにある。
【０００６】
本発明の第２の目的は、対向接続された回線終端装置に対し影響を与えずに診断対象回線終端装置の診断を行うことが可能な回線終端装置およびその診断方式ならびに診断方法を提供することにある。
【課題を解決するための手段】
【０００７】
本発明の回線終端装置は、上位装置からの指示に基づき自身の診断を実行する回線終端装置であって、前記回線終端装置は、前記上位装置から診断開始の要求を受信し、診断の実行後に前記上位装置へ診断完了の通知を送信する手段を備える。
【０００８】
また、本発明の回線終端装置は、上位装置からの指示に基づき自身の診断を実行する回線終端装置であって、前記回線終端装置は、自身の診断の開始前に診断開始を示す診断開始通知要求を送信し、前記診断の実行後に診断終了を示す診断完了通知要求を送信する手段を備える。
【０００９】
また、本発明の回線終端装置は、所定の第１の信号を受信した際に、上位装置に対し回線インターフェイス状態監視の中断設定を行い、所定の第２の信号を受信した際に、前記中断設定を解除する手段を備える。
【００１０】
また、本発明の回線終端装置は、回線を介し対向する回線終端装置に接続され、第１の上位装置からの指示に基づき自身の診断を実行する診断対象の回線終端装置であって、前記診断対象の回線終端装置は、自身の診断の開始前に前記対向する回線終端装置に対して診断開始を示す診断開始通知要求を送信し、前記診断の実行後に前記対向する回線終端装置に対して診断終了を示す診断完了通知要求を送信する手段を備える。
【００１１】
また、本発明の回線終端装置は、第１の上位装置からの指示に基づき自身の診断を実行する診断対象の回線終端装置と回線を介し接続される対向する回線終端装置であって、前記対向する回線終端装置は、前記診断の開始前に前記診断対象の回線終端装置から診断開始を示す診断開始通知要求を受信し、前記対向する回線終端装置に接続される第２の上位装置に対し回線インターフェイス状態監視の中断設定を行い、前記診断の実行後に前記診断対象の回線終端装置から診断終了を示す診断完了通知要求を受信し前記中断設定を解除する手段を備える。
【００１２】
また、本発明の回線終端装置は、回線を介し対向する回線終端装置に接続され、第１の上位装置からの指示に基づき自身の診断を実行する診断対象の回線終端装置であって、前記診断対象の回線終端装置は、自身の診断の開始前に前記対向回線終端装置に対して診断開始を示す診断開始通知要求を送信し、前記診断の実行後に前記対向回線終端装置に対して診断終了を示す診断完了通知要求を送信する手段と、前記診断の開始前に前記対向する回線終端装置から受信する診断開始通知要求の完了通知および前記診断の実行後に前記対向する回線終端装置から受信する診断完了通知要求の完了通知を他のユーザデータと区別する手段とを備える。
【００１３】
また、本発明の回線終端装置は、第１の上位装置からの指示に基づき自身の診断を実行する診断対象の回線終端装置と回線を介し接続される対向する回線終端装置であって、前記対向する回線終端装置は、前記診断の開始前に前記診断対象の回線終端装置から診断開始を示す診断開始通知要求を受信し、前記対向する回線終端装置に接続される第２の上位装置に対し回線インターフェイス状態監視の中断設定を行い、前記診断の実行後に前記診断対象の回線終端装置から診断終了を示す診断完了通知要求を受信し前記中断設定を解除する手段と、前記対向する回線終端装置は、前記診断の開始前に前記診断対象の回線終端装置から受信する前記診断開始通知要求および前記診断の実行後に前記診断対象の回線終端装置から受信する前記診断完了通知要求を他のユーザデータと区別する手段とを備える。
【００１４】
また、本発明の回線終端装置は、第１の上位装置からの指示に基づき自身の診断を実行する診断対象の回線終端装置と回線を介し接続される対向する回線終端装置であって、前記対向する回線終端装置は、前記診断の開始前に前記診断対象の回線終端装置から診断開始を示す診断開始通知要求を受信し、前記対向する回線終端装置に接続される第２の上位装置に対し回線インターフェイス状態監視の中断設定を行い、前記診断の実行後に前記診断対象の回線終端装置から診断終了を示す診断完了通知要求を受信し前記中断設定を解除する手段と、受信データのフラグ状態によって前記診断対象の回線終端装置が診断中か否かを判断する手段とを備える。
【００１５】
前記所定の第１の信号は診断開始を示す診断開始通知要求であり、前記所定の第２の信号は診断終了を示す診断完了通知要求である。
【００１６】
また、本発明の回線終端装置は、回線を介し対向する回線終端装置に接続され、上位装置からの指示に基づき自身の診断を実行する診断対象の回線終端装置であって、前記診断対象の回線終端装置は、前記上位装置とのインターフェイス機能を有する上位装置インターフェイス部と、前記対向する回線終端装置との通信プロトコルに準拠したデータ送信機能を有する回線データ送信部と、前記対向する回線終端装置との通信プロトコルに準拠したデータ受信機能を有する回線データ受信部と、前記対向する回線終端装置とのインターフェイス機能を有する回線インターフェイス部とを備え、前記上位装置インターフェイス部は、前記上位装置から診断開始の要求を受信し、診断の実行後に前記上位装置へ診断完了の通知を送信する。
【００１７】
本発明の回線終端装置診断方式は、診断対象の回線終端装置と、対向する回線終端装置とを有し、前記診断対象の回線終端装置は、回線を介し前記対向する回線終端装置に接続され、第１の上位装置からの指示に基づき自身の診断を実行する診断対象の回線終端装置であって、前記診断対象の回線終端装置は、自身の診断の開始前に前記対向回線終端装置に対して診断開始を示す診断開始通知要求を送信し、前記診断の実行後に前記対向回線終端装置に対して診断終了を示す診断完了通知要求を送信する手段を備え、前記対向する回線終端装置は、第１の上位装置からの指示に基づき自身の診断を実行する診断対象の回線終端装置と回線を介し接続される対向する回線終端装置であって、前記対向する回線終端装置は、前記診断の開始前に前記診断対象の回線終端装置から診断開始を示す診断開始通知要求を受信し、前記対向する回線終端装置に接続される第２の上位装置に対し回線インターフェイス状態監視の中断設定を行い、前記診断の実行後に前記診断対象の回線終端装置から診断終了を示す診断完了通知要求を受信し前記中断設定を解除する手段を備える。
【００１８】
また、本発明の回線終端装置は、回線を介し対向する回線終端装置に接続され、第１の上位装置からの指示に基づき自身の診断を実行する診断対象の回線終端装置であって、前記診断対象の回線終端装置は、前記第１の上位装置とのインターフェイス機能を有する上位装置インターフェイス部と、前記対向する回線終端装置との通信プロトコルに準拠したデータ送信機能を有する回線データ送信部と、前記対向する回線終端装置との通信プロトコルに準拠したデータ受信機能を有する回線データ受信部と、前記対向する回線終端装置とのインターフェイス機能を有する回線インターフェイス部と、前記回線インターフェイス部の受信状態の監視機能および前記第１の上位装置への監視結果の送信機能を有する回線状態管理部と、診断開始／完了通知要求とユーザデータとの識別機能を有する診断通知要求識別部とを備え、前記回線データ送信部は、前記第１の上位装置からの指示に基づき回線インターフェイス部を介し前記対向する回線終端装置に対し前記診断の開始前に診断開始通知要求を送信し、前記診断の実行後に同様経路で診断完了通知要求を送信する。
【００１９】
また、本発明の回線終端装置は、第１の上位装置からの指示に基づき自身の診断を実行する診断対象の回線終端装置と回線を介し接続される対向する回線終端装置であって、前記対向する回線終端装置は、第２の上位装置とのインターフェイス機能を有する上位装置インターフェイス部と、前記診断対象の回線終端装置との通信プロトコルに準拠したデータ送信機能を有する回線データ送信部と、前記診断対象の回線終端装置との通信プロトコルに準拠したデータ受信機能を有する回線データ受信部と、前記診断対象の回線終端装置とのインターフェイス機能を有する回線インターフェイス部と、診断開始／完了通知要求とユーザデータとの識別機能を有する診断通知要求識別部と、接続された回線終端装置が診断中であるか否かを示す情報を格納する対向回線診断フラグ格納部とを備え、前記回線データ受信部は、前記診断対象の回線終端装置から回線インターフェイス部を介し前記診断対象の回線終端装置から診断開始前に診断開始通知要求を受信し、診断実行後に同様経路で診断完了通知要求を受信する。
【００２０】
また、本発明の回線終端装置診断方式は、診断対象の回線終端装置と、対向する回線終端装置とを有し、前記診断対象の回線終端装置は、回線を介し対向する回線終端装置に接続され、第１の上位装置からの指示に基づき自身の診断を実行する診断対象の回線終端装置であって、前記診断対象の回線終端装置は、前記第１の上位装置とのインターフェイス機能を有する上位装置インターフェイス部と、前記対向する回線終端装置との通信プロトコルに準拠したデータ送信機能を有する回線データ送信部と、前記対向する回線終端装置との通信プロトコルに準拠したデータ受信機能を有する回線データ受信部と、前記対向する回線終端装置とのインターフェイス機能を有する回線インターフェイス部と、前記回線インターフェイス部の受信状態の監視機能および前記第１の上位装置への監視結果の送信機能を有する回線状態管理部と、診断開始／完了通知要求とユーザデータとの識別機能を有する診断通知要求識別部とを備え、前記回線データ送信部は、前記第１の上位装置からの指示に基づき回線インターフェイス部を介し前記対向する回線終端装置に対し前記診断の開始前に診断開始通知要求を送信し、前記診断の実行後に同様経路で診断完了通知要求を送信し、前記対向する回線終端装置は、第１の上位装置からの指示に基づき自身の診断を実行する診断対象の回線終端装置と回線を介し接続される対向する回線終端装置であって、前記対向する回線終端装置は、第２の上位装置とのインターフェイス機能を有する上位装置インターフェイス部と、前記診断対象の回線終端装置との通信プロトコルに準拠したデータ送信機能を有する回線データ送信部と、前記診断対象の回線終端装置との通信プロトコルに準拠したデータ受信機能を有する回線データ受信部と、前記診断対象の回線終端装置とのインターフェイス機能を有する回線インターフェイス部と、診断開始／完了通知要求とユーザデータとの識別機能を有する診断通知要求識別部と、接続された回線終端装置が診断中であるか否かを示す情報を格納する対向回線診断フラグ格納部とを備え、前記回線データ受信部は、前記診断対象の回線終端装置から回線インターフェイス部を介し前記診断対象の回線終端装置から診断開始前に診断開始通知要求を受信し、診断実行後に同様経路で診断完了通知要求を受信する。
【００２１】
本発明の回線終端装置診断方法は、第１の上位装置に接続され診断が行われる診断対象回線終端装置と、第２の上位装置に接続され前記診断対象回線終端装置に対向接続される対向回線終端装置とを設け、前記第１の上位装置からの指示に基づき前記診断対象回線終端装置の診断を行う回線終端装置診断方法であって、前記第１の上位装置から診断の開始要求を前記診断対象回線終端装置によって受信するステップと、この開始要求を受信し診断の開始前に前記診断対象回線終端装置から前記対向回線終端装置に対して診断開始通知要求を送信するステップと、前記対向回線終端装置では、診断フラグを設定するステップと、この診断フラグに基づき前記診断対象回線終端装置と前記対向回線終端装置との間のインターフェイスの障害監視結果の前記第２の上位装置への送信を中断するステップと、この送信の中断により前記診断対象回線終端装置での診断を実行するステップと、前記診断の完了後に前記診断対象回線終端装置から前記対向回線終端装置に対して診断完了通知要求を送信するステップと、前記対向回線終端装置では、前記診断完了通知要求を受信し前記フラグを解除するステップと、前記フラグの解除により前記第２の上位装置への前記障害監視結果の送信を再開するステップとを有する。
【００２２】
本発明では、対向回線終端装置は、診断対象回線終端装置より診断開始通知要求および診断完了通知要求を受信する。これにより、対向回線終端装置は診断対象回線終端装置が診断中であるか否かを判断することができる。したがって、診断中の診断対象回線終端装置の影響を防止することができる。また、対向回線終端装置では、診断対象回線終端装置の診断中に回線インターフェイス状態の監視結果を上位装置へ送信しない。このため、対向回線終端装置にて処理の軽減を図ることができる。
【発明の効果】
【００２３】
本発明によれば、対向する回線終端装置との回線インターフェイスを有する回線終端装置の診断を可能にする。その理由は、診断対象の回線終端装置は上位装置から診断開始の要求を受信し、診断終了後に診断完了の通知を上位装置に送信していることによる。
【発明を実施するための最良の形態】
【００２４】
次に、本発明の実施の形態について図面を参照して詳細に説明する。
【００２５】
図１は、本発明の第１の実施の形態の構成を表すブロック図である。図１において、診断対象上位装置１００は、診断対象回線終端装置２００に対して診断起動を行う。対向回線終端装置３００は、回線インターフェイス４００を介して診断対象回線終端装置２００と接続されている。診断対象回線終端装置２００は、上位装置インターフェイス部２０１と、回線データ送信部２０２と、回線データ受信部２０３と、回線インターフェイス部２０４とを備える。
【００２６】
上位装置インターフェイス部２０１は診断対象上位装置１００とのインターフェイス機能を有する。回線データ送信部２０２は、回線インターフェイス部２０４を介し対向回線終端装置３００との通信プロトコルに準拠したデータ送信機能を有する。回線データ受信部２０３は、回線インターフェイス部２０４を介し対向回線終端装置３００との通信プロトコルに準拠したデータ受信機能を有する。回線インターフェイス部２０４は、対向回線終端装置３００とのインターフェイス機能を有する。
【００２７】
次に動作を説明する。診断対象回線終端装置２００の上位装置インターフェイス部２０１は、診断対象上位装置１００から診断開始要求を受信することにより、診断が起動される。診断対象回線終端装置２００は、上位装置インターフェイス部２０１、回線データ送信部２０２、回線データ受信部２０３、回線インターフェイス部２０４の各機能部について診断を実行する。診断対象上位装置１００は、診断対象回線終端装置２００の診断終了後、診断対象回線終端装置２００の上位装置インターフェイス部２０１より診断完了通知を受信する。これにより診断完了とする。
【００２８】
上述した第１の実施の形態による回線終端装置診断方式では、第１に、対向回線終端装置が対向接続された診断中の診断対象回線終端装置の影響を受けてしまう。これにより対向回線終端装置が回線インターフェイス障害を検出してしまうことである。また、その影響により対向回線終端装置が誤動作を起こす可能性があることである。その理由は、対向回線終端装置は、常に回線インターフェイス状態の監視を行い、その結果を上位装置に送信しているためである。
【００２９】
第２に、対向接続された診断対象回線終端装置が診断中にもかかわらず対向回線終端装置は、常に回線インターフェイス状態の監視を行っている。したがって、その監視結果を上位装置に送信していることである。その理由は、対向回線終端装置は、対向接続された診断対象回線終端装置が診断中であるか否かを判断することができないためである。これらを改良することが可能な第２の実施の形態を以下に詳述する。
【００３０】
図２は本発明の第２の実施の形態の構成を表すブロック図である。図２において、本発明の回線終端装置診断方式は、診断対象上位装置１と、診断対象回線終端装置２と、対向回線終端装置３と、対向上位装置４とから構成されている。診断対象上位装置１は診断対象回線終端装置２に対して診断起動を行う装置である。診断対象回線終端装置２は診断を実行する対象装置である。対向回線終端装置３は診断対象回線終端装置２と対向接続されている装置である。対向上位装置４は対向回線終端装置３の上位装置である。診断対象回線終端装置２と対向回線終端装置３とは、回線インターフェイス５を介し、対向接続されている。
【００３１】
診断対象回線終端装置２は、上位装置インターフェイス部２１と、回線データ送信部２２と、回線データ受信部２３と、回線インターフェイス部２４と、回線状態管理部２５と、診断通知要求識別部２６と、対向回線診断フラグ格納部２７とから構成されている。上位装置インターフェイス部２１は上位装置とのインターフェイス機能を有する。回線データ送信部２２は対向回線終端装置３との通信プロトコルに準拠したデータ送信機能を有する。この回線データ送信部２２は、診断対象上位装置１からの指示に基づき回線インターフェイス部２４を介し診断開始前に対向回線終端装置３に対し診断開始通知要求を送信する。また、診断実行後に回線データ送信部２２は同様経路で診断完了通知要求を送信する。回線データ受信部２３は対向回線終端装置３との通信プロトコルに準拠したデータ受信機能を有する。回線インターフェイス部２４は対向回線終端装置３とのインターフェイス機能を有する。回線状態管理部２５は、回線インターフェイス部２４の受信状態の監視機能および上位装置への監視結果の送信機能を有する。診断通知要求識別部２６は、診断開始／完了通知要求とユーザデータとの識別機能を有する。対向回線診断フラグ格納部２７は、接続された回線終端装置が診断中であるか否かを示す情報を格納する。なお、回線終端装置が診断対象装置となる場合には、対向回線診断フラグ格納部２７は用いない。
【００３２】
対向回線終端装置３は、診断対象回線終端装置２と同様に、上位装置インターフェイス部３１と、回線データ送信部３２と、回線データ受信部３３と、回線インターフェイス部３４と、回線状態管理部３５と、診断通知要求識別部３６と、対向回線診断フラグ格納部３７とから構成されている。上位装置インターフェイス部３１は上位装置とのインターフェイス機能を有する。回線データ送信部３２は診断対象回線終端装置２との通信プロトコルに準拠したデータ送信機能を有する。回線データ受信部３３は診断対象回線終端装置２との通信プロトコルに準拠したデータ受信機能を有する。回線データ受信部３３は、診断対象回線終端装置２から回線インターフェイス部３４を介し診断対象回線終端装置２の診断開始前に診断開始通知要求を受信する。また、診断実行後に回線データ受信部３３は同様経路で診断完了通知要求を受信する。回線インターフェイス部３４は診断対象回線終端装置２とのインターフェイス機能を有する。回線状態管理部３５は、回線インターフェイス部３４の受信状態の監視機能および上位装置への監視結果の送信機能を有する。診断通知要求識別部３６は、診断開始／完了通知要求とユーザデータとの識別機能を有する。対向回線診断フラグ格納部３７は、接続された回線終端装置が診断中であるか否かを示す情報を格納する。なお、対向回線終端装置が診断中の回線終端装置に接続されている間は、回線状態管理部３５は用いない。
【００３３】
次に図２および図３を参照して、第２の実施の形態の動作を説明する。
【００３４】
図３は、本発明の第２の実施の形態の動作を説明するための図である。図３において、診断対象上位装置１より上位装置インターフェイス部２１を介して診断対象回線終端装置２に対して診断開始要求を送信する（ステップＳ１）。
【００３５】
診断対象回線終端装置２ではステップＳ１にてこの診断開始要求を受信する。そして、診断対象回線終端装置２は、対向回線終端装置３に対して回線インターフェイス部２４を介して回線データ送信部２２より診断開始通知要求を送信する（ステップＳ２）。
【００３６】
対向回線終端装置３では、ステップＳ２にて回線インターフェイス部３４を介して回線データ受信部３３によってこの診断開始通知要求を受信する。対向回線終端装置３は、診断通知要求識別部３６にて受信データが診断開始通知要求であることを確認する。診断開始通知要求は、通常のユーザデータとはフォーマット上で識別可能なフラグを有している（ステップＳ３）。
【００３７】
ステップＳ３にて診断通知要求識別部３６によって診断開始通知要求であることを確認した対向回線終端装置３は、対向回線診断フラグ格納部３７にてフラグ設定を行う（ステップＳ４）。その後、回線状態管理部３５は、対向上位装置４に対して、回線インターフェイス５の障害監視結果の送信を中断する（ステップＳ５）。そして、回線状態管理部３５は、上位装置インターフェイス部３１を介して対向上位装置４に対して対向装置診断開始通知を送信する（ステップＳ６）。その後、対向回線終端装置３は、診断対象回線終端装置２に対して回線インターフェイス部３４を介して回線データ送信部３２より診断開始通知要求完了通知を送信する（ステップＳ７）。
【００３８】
診断対象回線終端装置２では、ステップＳ７にて回線インターフェイス部２４を介して回線データ受信部２３によって診断開始通知要求の完了通知を受信する。回線データ識別部２５にて受信データが診断開始通知要求完了通知であることを確認する。診断開始通知要求完了通知は、通常のユーザデータとはフォーマット上で識別可能なフラグを有している（ステップＳ８）。
【００３９】
ステップＳ８にて回線データ識別部２５にて診断開始通知要求完了通知であることを確認した診断対象回線終端装置２は、診断を開始する（ステップＳ９）。診断終了後、診断対象回線終端装置２は、対向回線終端装置３に対して回線インターフェイス部２４を介して回線データ送信部２２より診断完了通知要求を送信する（ステップＳ１０）。
【００４０】
対向回線終端装置３では、ステップＳ１０にて回線インターフェイス部３４を介して回線データ受信部３３によってこの診断完了通知要求を受信する。診断通知要求識別部３６は受信データが診断完了通知要求であることを確認する。診断完了通知要求は、通常のユーザデータとはフォーマット上で識別可能なフラグを有している（ステップＳ１１）。
【００４１】
ステップＳ１１にて診断通知要求識別部３６にて診断完了通知要求であることを確認した対向回線終端装置３は、対向回線診断フラグ格納部３７にてフラグ解除を行う（ステップＳ１２）。その後、対向回線終端装置３は、回線状態管理部３５にて回線インターフェイス５の障害監視結果の送信を再開する（ステップＳ１３）。そして、回線状態管理部３５は、上位装置インターフェイス部３１を介して対向上位装置４に対して対向装置診断完了通知を送信する（ステップＳ１４）。その後、対向回線終端装置３は、診断対象回線終端装置２に対して回線インターフェイス部３４を介して回線データ送信部３２より診断完了通知要求完了通知を送信する（ステップＳ１５）。
【００４２】
対向回線終端装置３では、ステップＳ１５にて回線インターフェイス部２４を介して回線データ受信部２３によって診断完了通知要求完了通知を受信する。回線データ識別部２６は受信データが診断完了通知要求完了通知であることを確認する。診断完了通知要求完了通知は、通常のユーザデータとはフォーマット上で識別可能なフラグを有している（ステップＳ１６）。
【００４３】
ステップＳ１６にて回線データ識別部２５にて診断完了通知要求完了通知であることを確認した診断対象回線終端装置２は、診断対象上位装置１に対して診断完了通知を送信する（ステップＳ１７）。ステップＳ１７にて診断完了通知を受信したことにより、診断対象上位装置１は診断完了とする。上述した動作により、対向回線終端装置において診断対象回線終端装置の診断中の影響を防止することができる。
【００４４】
また、図２のステップＳ５で対向回線終端装置３では、回線インターフェイス障害監視結果送信の中断設定処理を行っているので、診断対象回線終端装置の診断中に回線インターフェイス状態の監視を行う必要がないということである。
【００４５】
第２の実施の形態によれば、以下に示す効果を有する。第１の効果としては、 対向回線終端装置に対して影響を与えずに診断対象回線終端装置の診断を実行することができる。その理由は、対向回線終端装置が診断対象回線終端装置より診断開始要求／診断完了要求を受信していることによる。さらに、対向接続された回線終端装置が診断中であるか否かを対向回線診断フラグによって判断するためである。
【００４６】
また第２の効果としては、 対向回線終端装置にて処理の軽減を図ることができる。その理由は、対向回線終端装置では、診断対象回線終端装置の診断中には回線インターフェイス状態の監視結果を上位装置へ送信しないためである。
【図面の簡単な説明】
【００４７】
【図１】本発明の第１の実施の形態の構成を表すブロック図である。
【図２】本発明の第２の実施の形態の構成を表すブロック図である。
【図３】本発明の第２の実施の形態の動作を説明するための図である。
【符号の説明】
【００４８】
１    診断対象上位装置
２    診断対象回線終端装置
３    対向回線終端装置
４    対向上位装置
５    回線インターフェイス
２１    上位装置インターフェイス部
２２    回線データ送信部
２３    回線データ受信部
２４    回線インターフェイス部
２５    回線状態管理部
２６    診断通知要求識別部
２７    対向回線診断フラグ格納部
３１    上位装置インターフェイス部
３２    回線データ送信部
３３    回線データ受信部
３４    回線インターフェイス部
３５    回線状態管理部
３６    診断通知要求識別部
３７    対向回線診断フラグ格納部
１００    診断対象上位装置
２００    診断対象回線終端装置
３００    対向回線終端装置
４００    回線インターフェイス
２０１    上位装置インターフェイス部
２０２    回線データ送信部
２０３    回線データ受信部
２０４    回線インターフェイス部
【図１】
2006066947.tif 000003
【図２】
2006066947.tif 000004
【図３】
2006066947.tif 000005